(57)【要約】      （修正有）【課題】害獣に対して高輝度の閃光を一定間隔で点滅させて発光することで、繰り返し効果的に害獣を撃退することができる害獣忌避装置を提供する。【解決手段】監視領域Ａ内へ害獣が侵入する予定地点を監視する害獣検出部Ｓと、害獣検出部により検出された予定地点に対応して駆動し、高輝度の閃光を一定間隔で点滅発光する発光装置と、ソーラーパネルの発電を発光装置に給電して発光装置を駆動する制御部とからなることを特徴とする。【選択図】図１
0003199518.tif 000002
【実用新案登録請求の範囲】
【請求項１】
監視領域内で駆動し、高輝度で投射方向が一定の閃光を断続的に放射する発光装置と、該発光装置を回転させる回転装置とからなる害獣忌避装置において、
回転装置が、監視領域内に設けられた環状のガイドレールと、該ガイドレールに沿って移動する回転走行部とからなっており、
発光装置はガイドレールに沿った周回によって、監視領域内の害獣に前記閃光を不規則に放射してなることを特徴とする害獣忌避装置。
【請求項２】
回転走行部が、ガイドレールに沿って走行する回転走行部を断続的に走行するように制御してなることを特徴とする請求項１に記載の害獣忌避装置。
【請求項３】
ガイドレールが、上下に波状に湾曲してなることを特徴とする請求項１または２に記載の害獣忌避装置。
【請求項４】
発光装置の放射する閃光が、高輝度のレイザーダイオードまたはＬＥＤからなっており、点滅間隔が１秒以下に設定されており、
ガイドレールが、１または複数に区分された管理領域の略中央に配置されていることを特徴とする請求項１から３のいずれかに記載の害獣忌避装置。
【考案の詳細な説明】
【技術分野】
【０００１】
本考案は、発光装置の回転を間欠的に行ったり上下に揺動しながら回転することで害獣が照射方向を学習できないようにした効果的な害獣忌避装置に関するものである。
【背景技術】
【０００２】
畑などの農地で植生している農作物や草花に対して、猪、猿、ハクビシン、熊、鹿などの害獣が食べ荒らしたり、掘り起こして被害を与えているが、これに対して柵や電線を張り巡らせて浸入を防いだり、音を発生させて追い払うなどしているが、未だ十分な効果を挙げていない。
例えば、特開２０１３−１２３３９４の有害動物撃退装置では、有害動物の学習効果による撃退効果の低減を阻止し、かつ、撃退効果をより一層高めるために、撃退音の発生データまたは発生プログラムを入力する入力部と、当該入力部からの情報によって撃退音を発生させる撃退音信号発生部と、当該撃退音信号を増幅する増幅部と、当該増幅部に接続された内蔵もしくは外付けスピーカーと、撃退音信号に連動して点滅する複数個のＬＥＤとで有害動物撃退装置とした構成が知られている。
しかし、刺激となる撃退音やＬＥＤの光では、未だ有害動物の撃退効果は十分とはいえなかった。
また、特開２００６−８００４５では、各々が異なる方向へ向けられた複数の発光器を備えると共に、各発光器について、点灯時間、消灯時間、及び発光波長、並びに相互の点滅タイミングのうちのいずれか複数を不定周期で変化させる点滅制御手段を備えた鳥類忌避装置が提案されている。
上記構成では、複数の発光器を用い、各発光器は各々が異なる方向に向ける必要があるため、発光器の数が多くなり管理が煩雑となり、費用も高額となるという問題点があった。
【先行技術文献】
【特許文献】
【０００３】
【特許文献１】特開２０１３−１２３３９４号公報
【特許文献２】特開２００６−８００４５号公報
【考案の概要】
【考案が解決しようとする課題】
【０００４】
この考案は、上記事情に鑑みて創案したものであって、その解決しようとする課題は、
害獣が監視領域内に侵入しようとする場合に、害獣の通り道がどこであってもレーザーダイオードの光を閃光とし出没する害獣に照射して撃退することができる害獣忌避装置を提供することにある。
【課題を解決するための手段】
【０００５】
本考案は、上記課題を解決するために、この考案では、
監視領域内で駆動し、高輝度で一定方向に投射する閃光を断続的に放射する発光装置と、該発光装置を回転させる回転装置とからなる害獣忌避装置において、
回転装置が、監視領域内に設けられた環状のガイドレールと、該ガイドレールに沿って移動する回転走行部とからなっており、
発光装置はガイドレールに沿った周回によって、監視領域内の害獣に前記閃光を不規則に放射してなることを特徴とする。
前記回転走行部は、ガイドレールに沿って走行する回転走行部を断続的に走行するように制御することができる。
前記ガイドレールは、上下に波状に湾曲して形成することができる。
前記発光装置の放射する閃光は、高輝度のレイザーダイオードまたはＬＥＤからなっており、点滅間隔が１秒以下に設定されており、
ガイドレールは、１または複数に区分された管理領域の略中央に配置することができる。
【考案の効果】
【０００６】
本考案の害獣忌避装置では、監視領域内の害獣に対して、発光器の向きを一定にせずに可変させることで、簡単な構成で害獣が繰り返し侵入しても威嚇に慣れて学習することが無く、威嚇を効果的に実現することができる。
【図面の簡単な説明】
【０００７】
【図１】実施例１の害獣忌避装置の概要を示す平面図である。
【図２】ガイドレールと駆動用の歯車の関係を側面から示す部分拡大図である。
【図３】害獣忌避装置の一例を示す側面図である。
【図４】ガイドレールの平面図である。
【図５】実施例２のガイドレールの一部を示す側面図である。
【図６】発光装置を中心とした一例としての回路図である。
【考案を実施するための形態】
【０００８】
害獣忌避装置は、発光装置と回転装置とからなっており、発光装置が一定方向に投射される半導体レーザー（レーザーダイオード）などの閃光を一定間隔で放射させる発光器を有し、回転装置は監視領域内の定位置で発光装置を環状に走行させて閃光の放射を回転しながら行うことができる。
【実施例１】
【０００９】
［害獣忌避装置］
図１から４に示す実施例１の害獣忌避装置１は、発光装置２と回転装置１０とからなっており、発光装置２は監視領域Ａ内へレーザーダイオードを放射させて閃光を一定間隔で連続的に発光させる発光器３を有しており、発光間隔は制御部４によって任意に制御することができるようになっている。
【００１０】
［害獣検出部］
本実施例では、対象となる害獣が監視領域Ａ内に侵入すると害獣検出部Ｓにより検知される。
従来の発光器では光の投射方向が一定であるため、害獣検出部は害獣の侵入位置を特定させる必要があったが、この考案では、発光器２は、回転装置によって３６０度回転するので、前記害獣検出部Ｓは監視領域１０内に害獣が侵入したか否かだけを検知しうるものであっても用いることができる。
この考案では、上記害獣検出部Ｓは必須の構成ではなく、例えば所定の時間だけレーザーダイオードの閃光の放射を回転させる自動運転とする構成であってもよい。
【００１１】
［発光装置］
発光装置２は、レーザーダイオードを放射させて閃光を一定間隔で連続的に投射させる発光器３を有しており、発光間隔は制御部４によって任意に制御することができるようになっている。
光源は、本実施例ではレイザーダイオード（セミコンダクターダイオード）を用いたが、これに替えて高輝度のＬＥＤを用いて強烈な閃光を発生させるものでもよい。
【００１２】
閃光速度は、数分の一秒から数万分の一秒程度であるが、この考案では閃光速度は光量との関係で害獣に効果的な数値を実験的に選択することができ、特に限定されない。
ハクビシンやイノシシなどの場合、前記レイザーダイオードの閃光の間隔は、０．５〜１秒前後であることが効果的であるが、害獣の種類に応じて適宜、効果的な短めまたは長めの間隔を選択することができる。
また、発光器３によるレーザーダイオードの放射は、忌避対象となる害獣の目にあたる高さに設定される。
【００１３】
害獣忌避装置１の制御部４は、前記害獣検出部Ｓが害獣を検知し、または夜間等の予め定めた監視時間になると発光装置２および回転装置１０を制御し、発光器３で所定の色彩（赤色、緑色、青色など）を有するレーザーダイオードを光源として閃光を一定間隔（例えば０．５〜１秒間隔）で放射しながら後述のガイドレール１１に沿って環状に周回させる。
【００１４】
［回転装置］
回転装置１０は、発光器３および発光装置２を監視領域Ａの中央などの定位置で環状に繰り返し回転させる装置であって、本実施例では監視領域Ａ内に設けられる環状のガイドレール１１と、該ガイドレール１１にガイドされて３６０度回転すると共に、前記発光装置２を支持する回転走行部１３とからなっている。
【００１５】
ガイドレール１１は、無端につながる環状レールであればよく、本実施例では直径１６０ｍｍの円形で上面に歯部を有するギアレールからなっている。
回転走行部１３は、該ガイドレール１１の歯部１１ａに噛合してガイドレール１１上を螺進退可能な駆動輪１４を有している。
【００１６】
該駆動輪１４は、ガイドレール１１の歯部１１ａと噛合する１つの歯車１４ａと、該歯車１４ａの回転軸に連結された駆動モータ１４ｂとからなっている。
該工藤モータ１４ｂは歯車１４ａを回転させてガイドレール１１上を螺進退（螺進のみでもよい）させることができる。
また、回転走行部１３には、前記歯車１４ａを中央にして、発光装置２のバランスを安定させるためにガイドレール１１の左右の接地面に接地して転動する従動輪１５が設けられている。
【００１７】
この考案では、従動輪１５と駆動輪１４とを逆にし、回転走行部１３の左右に設けた前記従動輪１５の回転軸に駆動モータ１４ｂを連結して駆動輪とし、駆動輪の歯車１４ａには駆動モータ１４ｂを連結せずに従動の歯車としてもよい。
要するに、回転走行部１３はガイドレール１１に沿って発光装置２を繰り返し周回させる構成であればよい。
【００１８】
本実施例で、前記駆動モータ１４ｂは、歯車１４ａの回転軸に取り付けられて、制御部４からの制御信号により回転のオン・オフが繰り返して行われる。
駆動モータ１４ｂの電源の点滅間隔は、１／２〜１秒間隔に設定されるが、この考案では、対象なる害獣に応じて上記点滅間隔は任意に定めることができる。
ここで、制御部４は、１つで発光装置２と回転装置１０のそれぞれを制御するものでもよいし、２つ設けて別々に制御するものでもよい。
【００１９】
［ソーラーパネル］
前記害獣検出部Ｓと、発光装置２と、回転装置１０の全部または一部は、その電源が、ソーラーパネル６を用いた発電で給電で作動できるようになっている。
即ち、前記ソーラーパネル６の発電は、蓄電池６ａに充電され、該蓄電池６ａに接続された制御部４を介して発光装置２や回転装置１０に供給される。
【００２０】
全部をソーラーパネル６の電気で賄うことができれば、電気代の維持費を軽減することができる。
ソーラーパネル６から害獣忌避装置１への給電はケーブルを介したり、あるいはガイドレール１１を介して害獣忌避装置１に給電しうるなど公知の給電方法を用いることができる。
【００２１】
図６に発光装置２の回路図の一例を示す。
これによると、ソーラーパネル６で発電された電気はソーラーチャージャーコントローラー（逆流防止機能付き）によって蓄電池６ａに蓄電される。
そして電源スイッチの投入により、発光装置２のモーター電源に給電され、発光器３の半導体レーザーを作動させることができ、開口部から閃光を投射する。
ここで発光器３は、害獣検出部Ｓのセンサーの検知信号を受信するが、フラッシュセンサー切替スイッチにより、前記センサーの検知信号を発光器３に入力するか否かを切り替えることができる。
上記回路は、一例であり、この考案ではその他公知の回路を用いることができる。
【実施例２】
【００２２】
実施例２の害獣忌避装置１では、回転装置１０のガイドレール１１の異なる実施例を示す。
図５に示すガイドレール１１は、上下に湾曲する波形状に形成されている。
即ち、一例を示すと、直径８０ｍｍの円の半円形状を上下を転倒しながらサインカーブのように連結し、波形となる環状のギアレールからなっている。
【００２３】
該ガイドレール１１の平面から見た直径が１６０ｍｍとなるようにして、ガイドレール１１の歯に歯車１４ａを噛合させているので、回転走行部１３はガイドレール１１に沿って上下に波形に揺動しながら回転移動する。一周の回転速度は１／２〜１秒であるが、閃光の投射方向が同一方向とはならないように設定される。
この場合も、前記実施例と同様に、歯車１４ａも駆動モータ１４ｂによって回転してガイドレール１１の歯と噛合しながら駆動する構成となっている。
【００２４】
発光装置２は前記回転走行部１３によって、ガイドレール１１の形状に沿って上下に揺動しながら環状に周回する。
これによって、発光器３から放射されるレーザー光は、上下に揺れ、断続的に点滅して不規則に発射されるので、害獣が監視領域Ａ内に繰り返し侵入しても、学習するおそれがなく、威嚇し撃退することができる。
【００２５】
ガイドレールにガイドされる駆動輪１４は前記実施例と同様でもよい。
従動輪１５を設ける場合には、実施例１のように常に接地できないので、ガイドレールに沿ってスライドする構成が好ましく、例えばガイドレールの側面を転動面とする車輪を設けてもよい。
その他の構成は、前記実施例１と同様であるので、その説明を省略する。
【００２６】
これにより、本実施例では、回転走行部１３は、制御信号により駆動モータ１４ｂが１／２秒〜１秒間隔でオン・オフを繰り返しながらガイドレール上を環状に繰り返し走行する。
上記駆動モータ１４ｂによるオン・オフの間隔は、上記数値に限定されることなく、対象とする害獣の種類や環境に応じて適宜増減することができる。
また、前記駆動モータ１４ｂのオン・オフは発光器３のレザー放射の制御とは別に行うが、この考案では駆動モータのオン・オフに対応して発光器３の放射のオン・オフを同期させてもよい。
【００２７】
この考案の害獣忌避装置１の発光装置２は、一定間隔でレイザーダイオードの閃光を放射させる装置であり、閃光が害獣の目に強烈な刺激を与え、害獣が本能的に危害を感じて逃げ去るという特性を利用したものである。
本実施例では、発光装置２は、赤色または青色のレーザーセミコンダクター、全出力１００ｍＷを用い、閃光間隔を０．５秒乃至１秒間隔に設定し、３００坪の監視領域Ａの中央に発光装置５を配置して実験した結果、閃光の投射を断続的に行い、発光装置２を回転させて投射方向を上下、左右に断続的に変化させることで、害獣は閃光に慣れることなく、素早く反応して逃げ去る現象が確認されており、繰り返し進入する害獣であっても傷つけずに撃退でき十分に効果的であることが確認できた。
【００２８】
また、監視領域が広い場合には、ほぼ同じ区画に分けて、各区画の中央に害獣忌避装置を配置するようにしてもよい。
監視領域の周辺に人が通る領域がある場合には、該当領域にレーザー閃光が放射されないように、制御部で発光器３の放射を制御することが好ましい。
この場合、発光装置２の設置位置の中心を０度とし、基準位置から時計回りで角度を指定するなどして特定すればよい。
【００２９】
また、ガイドレールは、上面に歯部を有する必要はなく、害獣忌避装置の周回をガイドするものであれば、公知のガイドレールと、ガイドレール上を摺動または走行する手段を用いることができる。
害獣忌避装置は、防水その他の全天候型のハウジングで成形されることが好ましい。
その他、この考案は上記実施例に限定されるものではなく、要するにこの考案の要旨を変更しない範囲で種々設計変更することができる。
【符号の説明】
【００３０】
１    害獣忌避装置
２    発光装置
３    発光器
４    制御部
６    ソーラーパネル
１０    回転装置
１１    ガイドレール
１３    回転走行部
１４    駆動輪
１４ａ  歯車
１４ｂ  駆動モータ
１５    従動輪
Ａ      監視領域
Ｓ      害獣検出部
【図１】
0003199518.tif 000003
【図２】
0003199518.tif 000004
【図３】
0003199518.tif 000005
【図４】
0003199518.tif 000006
【図５】
0003199518.tif 000007
【図６】
0003199518.tif 000008